(57)【要約】      （修正有）【課題】ニュースなどの情報配信システムにおいて、ニュースやメールの他に、ユーザ属性に対応した広告情報を音声でおこなうシステムを提供する。【解決手段】情報格納装置からテキスト情報を取得するテキスト情報取得部と、情報格納装置から広告情報を取得する広告情報取得部と、前記テキスト情報の一部、または前記テキスト情報の全部を音声情報に変換し、出力音声情報を得る音声情報変換部と、前記広告情報取得部が取得した広告情報であり、音声情報である広告情報と、前記音声情報変換部が取得した出力音声情報と、前記テキスト情報が有する関連情報を、情報端末装置に送信する情報送信部とを具備する情報送信サーバ装置により、例えば、テキストのニュース記事データベースと広告情報を音声に変換し、配信できる。【選択図】図２
2007010887.tif 000002
【特許請求の範囲】
【請求項１】
情報格納装置と、情報送信サーバ装置と、情報端末装置を具備する情報処理システムであって、
前記情報格納装置は、
テキストを含む情報であるテキスト情報であり、当該テキスト情報に関連する情報である関連情報を含む情報であるテキスト情報を格納しているテキスト情報格納部と、
広告に関する情報である広告情報を格納している広告情報格納部を具備し、
前記情報送信サーバ装置は、
前記情報格納装置から前記テキスト情報を取得するテキスト情報取得部と、
前記情報格納装置から前記広告情報を取得する広告情報取得部と、
前記テキスト情報の一部、または前記テキスト情報の全部を音声情報に変換し、出力音声情報を得る音声情報変換部と、
前記広告情報取得部が取得した広告情報であり、音声情報である広告情報と、前記音声情報変換部が取得した出力音声情報と、前記テキスト情報が有する関連情報を、前記情報端末装置に送信する情報送信部とを具備し、
前記情報端末装置は、
前記音声情報である広告情報と前記出力音声情報と前記関連情報を受信する情報受信部と、
前記音声情報である広告情報と前記出力音声情報と前記関連情報を出力する情報出力部とを具備する情報処理システム。
【請求項２】
携帯端末装置をさらに具備し、
前記情報端末装置の情報出力部は、前記音声情報である広告情報と前記出力音声情報と前記関連情報を前記携帯端末装置に送信し、
前記携帯端末装置は、
前記音声情報である広告情報と前記出力音声情報と前記関連情報を受信する携帯情報受信部と、
前記広告情報を音声出力した後、前記出力音声情報を音声出力する音声出力部と、
前記関連情報を表示する情報表示部とを具備する請求項1記載の情報処理システム。
【請求項３】
前記テキスト情報はニュースに関する情報であり、前記関連情報はニュースのタイトルに関する情報である請求項1または請求項２記載の情報処理システム。
【請求項４】
前記テキスト情報は、当該テキスト情報の属性値を示す情報であるテキスト情報属性値を有し、
前記広告情報は、広告の属性値を示す情報である広告属性値を有し、
前記広告情報取得部は、前記テキスト情報取得部が取得したテキスト情報が有するテキスト情報属性値と所定の関係にある広告属性値を有する広告情報を取得する請求項３記載の情報処理システム。
【請求項５】
前記広告情報は、広告の属性値を示す情報である広告属性値を有し、
前記情報送信部は、
送信先を識別する情報である送信先識別子と、当該送信先に関する属性値である送信先属性値を有する送信先情報を１以上格納している送信先情報格納手段と、
前記送信先情報格納手段に格納されている送信先識別子で識別される送信先に、前記広告情報取得部が取得した広告情報であり、音声情報である広告情報と、前記音声情報変換部が取得した出力音声情報と、前記関連情報を、前記情報端末装置に送信する情報送信手段を具備し、
前記広告情報取得部は、前記情報送信手段が送信する送信先を識別する送信先識別子と対になる送信先属性値と所定の関係にある広告属性値を有する広告情報を取得する請求項３記載の情報処理システム。
【請求項６】
前記テキスト情報はメールに関する情報であり、前記関連情報はメールのタイトルに関する情報である請求項1または請求項２記載の情報処理システム。
【請求項７】
前記テキスト情報取得部は、
所定の条件に合致するテキスト情報のみを選択して取得する請求項６記載の情報処理システム。
【請求項８】
前記テキスト情報取得部は、
メールの送信元に関する情報である送信元情報を取得し、
当該送信元情報が所定の条件に合致するか否かを判断し、
当該所定の条件に合致すると判断された送信元情報に対応するテキスト情報のみを選択して取得する請求項７記載の情報処理システム。
【請求項９】
前記テキスト情報取得部は、
前記関連情報を取得し、
当該関連情報が所定の条件に合致するか否かを判断し、
当該所定の条件に合致すると判断された関連情報に対応するテキスト情報のみを選択して取得する請求項７記載の情報処理システム。
【請求項１０】
前記所定の条件は、関連情報に「未承諾」という文字列を含まないことである請求項９記載の情報処理システム。
【請求項１１】
前記広告情報は、広告の属性値を示す情報である広告属性値を有し、
前記情報送信部は、
送信先を識別する情報である送信先識別子と、当該送信先に関する属性値である送信先属性値を有する送信先情報を１以上格納している送信先情報格納手段と、
前記送信先情報格納手段に格納されている送信先識別子で識別される送信先に、前記広告情報取得部が取得した広告情報であり、音声情報である広告情報と、前記音声情報変換部が取得した出力音声情報と、前記関連情報を、前記情報端末装置に送信する情報送信手段を具備し、
前記広告情報取得部は、前記情報送信手段が送信する送信先を識別する送信先識別子と対になる送信先属性値と所定の関係にある広告属性値を有する広告情報を取得する請求項６記載の情報処理システム。
【請求項１２】
前記テキスト情報は、当該テキスト情報の属性値を示す情報であるテキスト情報属性値を有し、
前記テキスト情報属性値により、前記音声情報変換部が得る音声が異なる請求項１から請求項１１いずれか記載の情報処理システム。
【請求項１３】
前記情報送信部は、
送信先を識別する情報である送信先識別子と、当該送信先に関する属性値である送信先属性値を有する送信先情報を１以上格納している送信先情報格納手段と、
前記送信先情報格納手段に格納されている送信先識別子で識別される送信先に、前記広告情報取得部が取得した広告情報であり、音声情報である広告情報と、前記音声情報変換部が取得した出力音声情報と、前記関連情報を、前記情報端末装置に送信する情報送信手段を具備し、
前記送信先属性値により、前記音声情報変換部が得る音声が異なる請求項１から請求項１１いずれか記載の情報処理システム。
【請求項１４】
請求項１から請求項１３いずれか記載の情報処理システムを構成する情報格納装置。
【請求項１５】
請求項１から請求項１３いずれか記載の情報処理システムを構成する情報送信サーバ装置。
【請求項１６】
請求項１から請求項１３いずれか記載の情報処理システムを構成する情報端末装置。
【請求項１７】
請求項２から請求項１３いずれか記載の情報処理システムを構成する携帯端末装置。
【請求項１８】
コンピュータに、
情報格納装置からテキスト情報を取得するテキスト情報取得ステップと、
前記情報格納装置から広告情報を取得する広告情報取得ステップと、
前記テキスト情報の一部、または前記テキスト情報の全部を音声情報に変換し、出力音声情報を得る音声情報変換ステップと、
前記広告情報取得ステップで取得した広告情報であり、音声情報である広告情報と、前記音声情報変換ステップで取得した出力音声情報と、前記テキスト情報が有する関連情報を、前記情報端末装置に送信する情報送信ステップとを実行させるためのプログラム。
【請求項１９】
前記広告情報取得ステップにおいて、
前記情報送信ステップで送信する送信先を識別する送信先識別子と対になる送信先属性値と所定の関係にある広告属性値を有する広告情報を取得する請求項１８記載のプログラム。
【請求項２０】
前記テキスト情報取得ステップにおいて、
所定の条件に合致するテキスト情報のみを選択して取得する請求項１８記載のプログラム。
【請求項２１】
情報格納装置からテキスト情報を取得するテキスト情報取得ステップと、
前記情報格納装置から広告情報を取得する広告情報取得ステップと、
前記テキスト情報の一部、または前記テキスト情報の全部を音声情報に変換し、出力音声情報を得る音声情報変換ステップと、
前記広告情報取得ステップで取得した広告情報であり、音声情報である広告情報と、前記音声情報変換ステップで取得した出力音声情報と、前記テキスト情報が有する関連情報を、前記情報端末装置に送信する情報送信ステップを具備する情報処理方法。
【請求項２２】
前記広告情報取得ステップにおいて、
前記情報送信ステップで送信する送信先を識別する送信先識別子と対になる送信先属性値と所定の関係にある広告属性値を有する広告情報を取得する請求項２１記載の情報処理方法。
【請求項２３】
前記テキスト情報取得ステップにおいて、
所定の条件に合致するテキスト情報のみを選択して取得する請求項２１記載の情報処理方法。
【発明の詳細な説明】
【技術分野】
【０００１】
本発明は、広告とニュースなどの情報を音声出力する情報システム等に関するものである。
【背景技術】
【０００２】
従来の情報処理システムは、ニュースや広告等の言葉として一まとまりの意味をもった情報を音声に変換して再生出力する場合に、操作者が情報の誤認等をするのを防止し、かつ、装置の小型化に適し、操作性の優れた情報出力装置である（例えば、特許文献１参照）。
【特許文献１】特開平０９−０５０２９４号公報（第１頁、第１図等）
【発明の開示】
【発明が解決しようとする課題】
【０００３】
しかしながら、従来の情報処理システムにおいては、例えば、Ｗｅｂ上のニュースや、メールサーバのメールなど、テキストの情報を音声に変換し、かつ、音声の広告を付与して送信することができなかった。
【課題を解決するための手段】
【０００４】
本第一の発明の情報処理システムは、情報格納装置と、情報送信サーバ装置と、情報端末装置を具備する情報処理システムであって、前記情報格納装置は、テキストを含む情報であるテキスト情報であり、当該テキスト情報に関連する情報である関連情報を含む情報であるテキスト情報を格納しているテキスト情報格納部と、広告に関する情報である広告情報を格納している広告情報格納部を具備し、前記情報送信サーバ装置は、前記情報格納装置から前記テキスト情報を取得するテキスト情報取得部と、前記情報格納装置から前記広告情報を取得する広告情報取得部と、前記テキスト情報から関連情報を抽出する関連情報抽出部と、前記テキスト情報の一部、または前記テキスト情報の全部を音声情報に変換し、出力音声情報を得る音声情報変換部と、前記広告情報取得部が取得した広告情報であり、音声情報である広告情報と、前記音声情報変換部が取得した出力音声情報と、前記関連情報を、前記情報端末装置に送信する情報送信部とを具備し、前記情報端末装置は、前記音声情報である広告情報と前記出力音声情報と前記関連情報を受信する情報受信部と、前記音声情報である広告情報と前記出力音声情報と前記関連情報を出力する情報出力部とを具備する情報処理システムである。
かかる構成により、例えば、テキストのニュース記事データベースと広告情報を音声出力し、配信できる。
【０００５】
また、本第二の発明の情報処理システムは、第一の発明に対して、携帯端末装置をさらに具備し、前記情報端末装置の情報出力部は、前記音声情報である広告情報と前記出力音声情報と前記関連情報を前記携帯端末装置に送信し、前記携帯端末装置は、前記音声情報である広告情報と前記出力音声情報と前記関連情報を受信する携帯情報受信部と、前記広告情報を音声出力した後、前記出力音声情報を音声出力する音声出力部と、前記関連情報を表示する情報表示部とを具備する情報処理システムである。
かかる構成により、広告を音声出力した後、ユーザ所望のニュースを音声出力するので、ユーザは確実に広告を聞くことになり、広告効果が増大する。
また、本第三の発明の情報処理システムは、第一、第二いずれかの発明に対して、前記テキスト情報はニュースに関する情報であり、前記関連情報はニュースのタイトルに関する情報である情報処理システムである。
【０００６】
また、本第四の発明の情報処理システムは、第三の発明に対して、前記テキスト情報は、当該テキスト情報の属性値を示す情報であるテキスト属性情報を有し、前記広告情報は、広告の属性値を示す情報である広告属性値を有し、前記広告情報取得部は、前記テキスト情報取得部が取得したテキスト情報が有するテキスト属性情報と所定の関係にある広告属性値を有する広告情報を取得する情報処理システムである。
かかる構成により、音声出力するテキスト情報に合致した広告情報を選択して、音声出力できる。
【０００７】
また、本第五の発明の情報処理システムは、第三の発明に対して、前記広告情報は、広告の属性値を示す情報である広告属性値を有し、前記情報送信部は、送信先を識別する情報である送信先識別子と、当該送信先に関する属性値である送信先属性値を有する送信先情報を１以上格納している送信先情報格納手段と、前記送信先情報格納手段に格納されている送信先識別子で識別される送信先に、前記広告情報取得部が取得した広告情報であり、音声情報である広告情報と、前記音声情報変換部が取得した出力音声情報と、前記関連情報を、前記情報端末装置に送信する情報送信手段を具備し、前記広告情報取得部は、前記情報送信手段が送信する送信先を識別する送信先識別子と対になる送信先属性値と所定の関係にある広告属性値を有する広告情報を取得する情報処理システムである。
かかる構成により、ユーザに合致した広告情報を選択して、音声出力できる。
また、本第六の発明の情報処理システムは、第一、第二いずれかの発明に対して、前記テキスト情報はメールに関する情報であり、前記関連情報はメールのタイトルに関する情報である情報処理システムである。
また、本第七の発明の情報処理システムは、第六の発明に対して、前記テキスト情報取得部は、所定の条件に合致するテキスト情報のみを選択して取得する情報処理システムである。
かかる構成により、適切なテキスト情報のみを音声出力できる。
【０００８】
また、本第八の発明の情報処理システムは、第七の発明に対して、前記テキスト情報取得部は、メールの送信元に関する情報である送信元情報を取得し、当該送信元情報が所定の条件に合致するか否かを判断し、当該所定の条件に合致すると判断された送信元情報に対応するテキスト情報のみを選択して取得する情報処理システムである。
かかる構成により、適切なテキスト情報のみを音声出力できる。
【０００９】
また、本第九の発明の情報処理システムは、第七の発明に対して、前記テキスト情報取得部は、前記関連情報を取得し、当該関連情報が所定の条件に合致するか否かを判断し、当該所定の条件に合致すると判断された関連情報に対応するテキスト情報のみを選択して取得する情報処理システムである。
かかる構成により、適切なテキスト情報のみを音声出力できる。
また、本第十の発明の情報処理システムは、第九の発明に対して、前記所定の条件は、「未承諾」という文字列を含まないことである情報処理システムである。
かかる構成により、適切なテキスト情報のみを音声出力できる。
【００１０】
また、本第十一の発明の情報処理システムは、第六の発明に対して、前記広告情報は、広告の属性値を示す情報である広告属性値を有し、前記情報送信部は、送信先を識別する情報である送信先識別子と、当該送信先に関する属性値である送信先属性値を有する送信先情報を１以上格納している送信先情報格納手段と、前記送信先情報格納手段に格納されている送信先識別子で識別される送信先に、前記広告情報取得部が取得した広告情報であり、音声情報である広告情報と、前記音声情報変換部が取得した出力音声情報と、前記関連情報を、前記情報端末装置に送信する情報送信手段を具備し、前記広告情報取得部は、前記情報送信手段が送信する送信先を識別する送信先識別子と対になる送信先属性値と所定の関係にある広告属性値を有する広告情報を取得する情報処理システムである。
かかる構成により、適切な広告情報を選択して、音声出力できる。
【００１１】
また、本第十二の発明の情報処理システムは、第一から第十一いずれかの発明に対して、前記テキスト情報は、当該テキスト情報の属性値を示す情報であるテキスト属性情報を有し、前記テキスト属性情報により、前記音声情報変換部が得る音声が異なる情報処理システムである。
かかる構成により、テキスト情報に合致した音声で、テキスト情報または／および広告情報を音声出力できる。
【００１２】
また、本第十三の発明の情報処理システムは、第一から第十一いずれかの発明に対して、前記情報送信部は、送信先を識別する情報である送信先識別子と、当該送信先に関する属性値である送信先属性値を有する送信先情報を１以上格納している送信先情報格納手段と、前記送信先情報格納手段に格納されている送信先識別子で識別される送信先に、前記広告情報取得部が取得した広告情報であり、音声情報である広告情報と、前記音声情報変換部が取得した出力音声情報と、前記関連情報を、前記情報端末装置に送信する情報送信手段を具備し、前記送信先属性値により、前記音声情報変換部が得る音声が異なる情報処理システムである。
かかる構成により、送信先に合致した音声で、テキスト情報または／および広告情報を音声出力できる。
【発明の効果】
【００１３】
本発明による情報処理システムによれば、ニュースやメールなどの有益な情報と、広告を共に音声で提供できる。
【発明を実施するための最良の形態】
【００１４】
以下、情報処理システム等の実施形態について図面を参照して説明する。なお、実施の形態において同じ符号を付した構成要素は同様の動作を行うので、再度の説明を省略する場合がある。
（実施の形態１）
本実施の形態において、情報処理システムは、例えば、新聞社が保有するニュースＤＢの記事を音声配信したり、メルマガを音声配信したりできるシステムである。
【００１５】
図１は、本実施の形態における情報処理システムの概念図である。本情報処理システムは、情報格納装置１１、情報送信サーバ装置１２、情報端末装置１３、携帯端末装置１４を具備する。情報格納装置１１は、１以上のテキスト情報と、１以上の広告情報を有する。情報送信サーバ装置１２は、情報格納装置１１の情報を情報端末装置１３に送信する。情報端末装置１３は、情報送信サーバ装置１２から情報を受信し、出力する。携帯端末装置１４は、情報送信サーバ装置１２が出力した情報を受信し、一部の情報を音声出力し、他の情報を表示する。なお、本情報処理システムにおいて、携帯端末装置１４は、無くても良い。かかる場合、情報端末装置１３は、情報送信サーバ装置１２から情報を受信し、一部の情報を音声出力し、他の情報を表示する。
図２は、本実施の形態における情報処理システムのブロック図である。
情報処理システムは、情報格納装置１１、情報送信サーバ装置１２、情報端末装置１３、携帯端末装置１４を具備する。
【００１６】
情報格納装置１１は、テキスト情報格納部１１０１、広告情報格納部１１０２を具備する。なお、テキスト情報格納部１１０１と広告情報格納部１１０２が別の装置に存在しても良い。つまり、情報格納装置１１は、２つの装置から構成されていても良い。
情報送信サーバ装置１２は、テキスト情報取得部１２０１、広告情報取得部１２０２、関連情報抽出部１２０３、音声情報変換部１２０４、情報送信部１２０５を具備する。
情報送信部１２０５は、送信先情報格納手段１２０５１、情報送信手段１２０５２を具備する。
情報端末装置１３は、情報受信部１３０１、情報出力部１３０２を具備する。
携帯端末装置１４は、携帯情報受信部１４０１、音声出力部１４０２、情報表示部１４０３を具備する。
【００１７】
テキスト情報格納部１１０１は、テキストを含む情報であるテキスト情報を、1以上格納している。テキスト情報は、当該テキスト情報に関連する情報である関連情報を含む情報である。関連情報は、例えば、テキスト情報（例えば、ニュースの情報）のタイトルであるタイトル情報（ニュースのタイトル）である。関連情報は、例えば、テキスト情報の最初の５０ｂｙｔｅの情報である。テキスト情報がメールである場合、関連情報は、例えば、メールのｓｕｂｊｅｃｔの情報や、メール本文の最初の３０ｂｙｔｅの情報である。また、関連情報は、例えば、テキスト情報の更新日時を示す情報や、テキスト情報の名称（ファイル名）や、テキスト情報のその他の属性値でも良い。テキスト情報の属性値は、後述するテキスト属性情報である。その他、関連情報は、テキスト情報に関連する情報であれば、何でも良い。テキスト情報は、当該テキスト情報の属性値であるテキスト属性情報を含んでも良い。テキスト情報がニュース（記事）である場合、テキスト属性情報とは、例えば、ニュースのジャンル（例えば、スポーツ、政治、経済、社会など）や、ニュースを作成した新聞社の情報（新聞社名、新聞社ＩＤなど）などである。テキスト情報は、テキスト以外の他の情報を含んでも良い。他の情報とは、例えば、静止画や動画などである。なお、テキスト情報は関連情報を含んでいなくても良い。かかる場合、関連情報は表示されない。また、テキスト情報が関連情報を含む場合、例えば、当該関連情報には所定のタグ（例えば、＜ｔｉｔｌｅ＞）が付与されている。また、関連情報は、例えば、ＲＳＳの形式の情報である。ただし、関連情報のデータ構造は問わず、関連情報をテキスト情報から抽出するための方法も何でも良い。テキスト情報格納部１１０１は、不揮発性の記録媒体が好適であるが、揮発性の記録媒体でも実現可能である。
【００１８】
広告情報格納部１１０２は、広告に関する情報である広告情報を格納している。広告情報は、テキストの情報でも音声情報でも良い。広告情報は、広告の属性値を示す情報である広告属性値を有することは好適である。広告属性値とは、例えば、広告対象の商品の商品名や商品種（シャンプー、洋服など）や、広告のジャンル（企業イメージ広告、商品広告、サービス広告）や、対象者の年齢に関する情報（１０歳代、２０歳から３０歳まで、高齢者、高校生向けなど）、対象者の性別（男性、女性）などである。広告情報格納部１１０２は、不揮発性の記録媒体が好適であるが、揮発性の記録媒体でも実現可能である。
【００１９】
なお、ここでは、情報格納装置１１は、テキスト情報格納部１１０１、広告情報格納部１１０２を具備するが、情報格納装置１１は、２つの装置に分かれており、それぞれの装置が、それぞれテキスト情報格納部１１０１、広告情報格納部１１０２を具備しても良い。
【００２０】
テキスト情報取得部１２０１は、情報格納装置１１からテキスト情報を取得する。テキスト情報取得部１２０１は、情報格納装置１１から直接的にテキスト情報を取得しても良いし、間接的にテキスト情報を取得しても良い。テキスト情報を取得するトリガーは問わない。また、テキスト情報取得部１２０１は、一度に一つのテキスト情報を取得しても良いし、多数のテキスト情報を取得しても良い。テキスト情報取得部１２０１は、通常、ＭＰＵやメモリ等から実現され得る。テキスト情報取得部の処理手順は、通常、ソフトウェアで実現され、当該ソフトウェアはＲＯＭ等の記録媒体に記録されている。但し、ハードウェア（専用回路）で実現しても良い。
【００２１】
広告情報取得部１２０２は、情報格納装置１１から広告情報を取得する。広告情報取得部１２０２は、情報格納装置１１から直接に広告情報を取得しても良いし、間接的に広告情報を取得しても良い。広告情報取得部１２０２は、テキスト情報取得部１２０１が取得したテキスト情報が有するテキスト属性情報と所定の関係にある広告属性値を有する広告情報を取得することは好適である。ここで、「所定の関係」とは、一致、部分一致、別途の対応表があり、当該対応表により対応付けられる関係などである。[0]また、広告情報取得部１２０２は、後述する情報送信手段１２０５２が送信する送信先を識別する送信先識別子と対になる送信先属性値と所定の関係にある広告属性値を有する広告情報を取得することは好適である。送信先識別子は、例えば、ＩＰアドレス（Ｖｅｒ４、Ｖｅｒ６など）や、送信先名や、メールアドレスや、送信先の機器のＭＡＣアドレスなどである。送信先属性値とは、送信先の機器のユーザが好きなジャンル（スポーツなど）や、ユーザの好きな俳優などのユーザプロファイル情報などである。広告情報取得部１２０２は、通常、ＭＰＵやメモリ等から実現され得る。広告情報取得部の処理手順は、通常、ソフトウェアで実現され、当該ソフトウェアはＲＯＭ等の記録媒体に記録されている。但し、ハードウェア（専用回路）で実現しても良い。
【００２２】
関連情報抽出部１２０３は、テキスト情報から関連情報を抽出する。関連情報抽出部１２０３は、例えば、所定のタグ（＜ｔｉｔｌｅ＞、および＜／ｔｉｔｌｅ＞）で囲まれた情報である関連情報を、テキスト情報から取得する。関連情報抽出部１２０３は、通常、ＭＰＵやメモリ等から実現され得る。関連情報抽出部の処理手順は、通常、ソフトウェアで実現され、当該ソフトウェアはＲＯＭ等の記録媒体に記録されている。但し、ハードウェア（専用回路）で実現しても良い。
【００２３】
音声情報変換部１２０４は、テキスト情報の一部、またはテキスト情報の全部を音声情報に変換し、出力音声情報を得る。テキスト情報の一部とは、例えば、テキスト情報の中の関連情報を除く情報である。また、テキスト情報の一部とは、例えば、テキスト情報の中の関連情報、および静止画、および動画を除く情報である。音声情報変換部１２０４は、情報送信サーバ装置１２が送信するテキスト属性情報により、異なる音声情報に変換することは好適である。例えば、送信するテキスト情報がスポーツのニュース（テキスト属性情報が「スポーツ」）である場合、情報送信サーバ装置１２は、男性の声の音声情報に変換し、送信するテキスト情報が芸能のニュース（テキスト属性情報が「芸能」）である場合、情報送信サーバ装置１２は、女性の声の音声情報に変換する。また、例えば、送信するテキスト情報がスポーツのニュースである場合、情報送信サーバ装置１２は、情報送信サーバ装置１２は、女優Ａさんの声の音声情報に変換する。また、音声情報変換部１２０４は、情報送信サーバ装置１２が送信する送信先の送信先属性値により、異なる音声情報に変換することは好適である。例えば、送信先属性値が「男性」であれば、女性の声の音声情報に変換し、送信先属性値が「女性」であれば、男性の声の音声情報に変換する。なお、音声情報変換部１２０４は、音声合成処理を行うソフトウェアまたはハードウェアにより実現され得る。また、音声情報変換部１２０４が異なる音声情報に変換することは、基本周波数（Ｆ０）や、声の高さの情報を変更することにより実現できる。また、音声情報変換部１２０４が異なる音声情報に変換することは、音素ごとの声を格納している音声データベースを複数保持しており、かかる音声データベースを切り替えることにより異なる音声情報を生成できる。かかる音声合成技術は公知技術であるので、詳細な説明は省略する。なお、音声情報変換部１２０４は、広告情報取得部１２０２が取得した広告情報がテキスト情報である場合、当該テキスト情報の一部または全部を音声情報に変換する処理を行う。音声情報変換部１２０４は、通常、ＭＰＵやメモリ等から実現され得る。音声情報変換部の処理手順は、通常、ソフトウェアで実現され、当該ソフトウェアはＲＯＭ等の記録媒体に記録されている。但し、ハードウェア（専用回路）で実現しても良い。
【００２４】
情報送信部１２０５は、広告情報取得部１２０２が取得した広告情報であり、音声情報である広告情報と、音声情報変換部１２０４が取得した出力音声情報と、関連情報を、情報端末装置１３に送信する。ここで、情報送信部１２０５が送信する広告情報は音声情報であり、かかる音声情報は情報送信サーバ装置１２によって音声合成された情報でも良く、元々音声情報であっても良い。情報送信部１２０５は、音声情報である広告情報の後に、出力音声情報を付加して一の音声情報を構成して送信することは好適である。情報送信部１２０５は、通常、無線または有線の通信手段で実現されるが、放送手段で実現されても良い。
【００２５】
送信先情報格納手段１２０５１は、送信先を識別する情報である送信先識別子と、当該送信先に関する属性値である送信先属性値を有する送信先情報を１以上格納している。送信先情報格納手段１２０５１は、不揮発性の記録媒体が好適であるが、揮発性の記録媒体でも実現可能である。
【００２６】
情報送信手段１２０５２は、送信先情報格納手段１２０５１に格納されている送信先識別子で識別される送信先に、広告情報取得部１２０２が取得した広告情報であり、音声情報である広告情報と、音声情報変換部１２０４が取得した出力音声情報と、関連情報を、情報端末装置１３に送信する。情報送信手段１２０５２は、通常、無線または有線の通信手段で実現されるが、放送手段で実現されても良い。
情報受信部１３０１は、音声情報である広告情報と、出力音声情報と、関連情報を受信する。情報受信部１３０１は、通常、無線または有線の通信手段で実現されるが、放送を受信する手段で実現されても良い。
【００２７】
情報出力部１３０２は、音声情報である広告情報と、出力音声情報と、関連情報を出力する。情報出力部１３０２は、音声情報である広告情報と出力音声情報と関連情報を携帯端末装置に送信しても良い。また、情報出力部１３０２は、音声情報である広告情報と出力音声情報と関連情報を蓄積し、ユーザの指示により、当該情報を携帯端末装置に送信しても良い。また、情報出力部１３０２は、音声情報である広告情報と出力音声情報を音声出力し、関連情報を表示しても良い。情報出力部１３０２は、広告情報の出力の後に、出力音声情報を出力することは好適である。さらに、出力音声情報の中に、関連情報の音声情報が含まれていても良い。情報出力部１３０２は、ディスプレイやスピーカー等の出力デバイスを含むと考えても含まないと考えても良い。情報出力部１３０２は、出力デバイスのドライバーソフトまたは、出力デバイスのドライバーソフトと出力デバイス等で実現され得る。
携帯情報受信部１４０１は、音声情報である広告情報と出力音声情報と関連情報を受信する。携帯情報受信部１４０１は、通常、無線または有線の通信手段で実現されるが、放送を受信する手段で実現されても良い。
【００２８】
音声出力部１４０２は、好ましくは広告情報を音声出力した後、出力音声情報を音声出力する。なお、音声出力部１４０２は、出力音声情報を音声出力した後、広告情報を音声出力しても良い。音声出力部１４０２は、スピーカーを含むと考えても含まないと考えても良い。音声出力部１４０２は、出力デバイスのドライバーソフトまたは、出力デバイスのドライバーソフトと出力デバイス等で実現され得る。
【００２９】
情報表示部１４０３は、関連情報を表示する。情報表示部１４０３は、ディスプレイデバイスを含むと考えても含まないと考えても良い。情報表示部１４０３は、出力デバイスのドライバーソフトまたは、出力デバイスのドライバーソフトと出力デバイス等で実現され得る。
なお、上記の情報処理システムの各装置間での情報送受信は、インターネット経由、電話網経由、Ｐ２Ｐの通信等問わないことは言うまでもない。
次に、情報処理システムの動作について説明する。まず、情報格納装置１１の動作を説明する。
情報格納装置１１は、情報送信サーバ装置１２からの要求に応じて、テキスト情報や広告情報を情報送信サーバ装置１２に送信する。
次に、情報送信サーバ装置１２の動作について図３のフローチャートを用いて説明する。
【００３０】
（ステップＳ３０１）テキスト情報取得部１２０１は、情報格納装置１１に要求し、情報格納装置１１からテキスト情報を取得する。取得するテキスト情報は、何でも良い。また、取得するテキスト情報は、通常、一つであるが、複数であっても良い。
（ステップＳ３０２）広告情報取得部１２０２は、ステップＳ３０１で取得したテキスト情報が有するテキスト属性情報を取得する。
（ステップＳ３０３）関連情報抽出部１２０３は、ステップＳ３０１で取得したテキスト情報から関連情報を抽出する。
（ステップＳ３０４）広告情報取得部１２０２は、テキスト情報取得部１２０１が取得したテキスト情報が有するテキスト属性情報と所定の関係にある広告属性値を有する広告情報を１以上選択する。
（ステップＳ３０５）情報送信手段１２０５２は、カウンタｉに１を代入する。
【００３１】
（ステップＳ３０６）情報送信手段１２０５２は、ｉ番目の送信先識別子は、送信先情報格納手段１２０５１に存在するか否かを判断する。ｉ番目の送信先識別子が存在すればステップＳ３０７に行き、存在しなければ処理を終了する。
（ステップＳ３０７）情報送信手段１２０５２は、ｉ番目の送信先識別子を取得する。
（ステップＳ３０８）情報送信手段１２０５２は、ｉ番目の送信先属性値を取得する。
【００３２】
（ステップＳ３０９）広告情報取得部１２０２は、ステップＳ３０４で選択した広告情報の中から、送信先属性値に基づいて、一つの広告情報を取得する。広告情報取得部１２０２は、ｉ番目の送信先属性値と所定の関係にある広告属性値を有する広告情報を取得する。
（ステップＳ３１０）音声情報変換部１２０４は、ステップＳ３０９で取得した広告情報を音声合成し、音声情報である広告情報を得る。
（ステップＳ３１１）音声情報変換部１２０４は、ステップＳ３０１で取得したテキスト情報の一部（例えば、関連情報を除く部分）を音声合成し、出力音声情報を得る。
【００３３】
（ステップＳ３１２）情報送信部１２０５は、ステップＳ３１０で得た広告情報の音声情報、およびステップＳ３１１で得た出力音声情報、およびステップＳ３０３で得た関連情報に基づいて送信する情報を構成する。なお、本ステップにおいて、広告情報が出力された後に、出力音声情報が出力されるように、送信する情報を構成することは好適である。
（ステップＳ３１３）情報送信部１２０５は、ステップＳ３１２で構成した情報を、ｉ番目の送信先識別子で識別される送信先（情報端末装置１３）に送信する。
（ステップＳ３１４）情報送信部１２０５は、カウンタｉを１、インクリメントする。ステップＳ３０６に行く。
【００３４】
なお、図３のフローチャートにおいて、広告情報は任意に取得しても良い。また、広告情報はテキスト属性情報のみに基づいて選択しても良いし、送信先属性値のみに基づいて選択しても良い。また、図３のフローチャートにおいて、２以上の広告情報を送信しても良い。
【００３５】
また、図３のフローチャートにおいて、情報送信サーバ装置１２は、全送信先識別子で識別される送信先に情報を送付した（ｐｕｓｈ型の情報配信）が、例えば、情報端末装置１３からの要求に応じて、当該要求があった情報端末装置１３に情報を送付（ｐｕｌｌ型の情報送出）しても良い。
また、図３のフローチャートにおいて、広告情報とテキスト情報とを別々に音声合成したが、テキストの広告情報と、テキストのテキスト情報を、結合した後、一度に音声合成し、一の音声情報を取得しても良い。
【００３６】
さらに、図３のフローチャートにおいて、音声の広告情報、出力音声情報、および関連情報の組、一組の情報を送信したが、音声の広告情報、出力音声情報、および関連情報の組、２以上を一度に送信するようにしても良い。
【００３７】
次に、情報端末装置１３の動作について説明する。情報端末装置１３の情報受信部１３０１は、情報送信サーバ装置１２から情報を受信する。受信する情報は、音声情報である広告情報と出力音声情報と関連情報を含む。そして、情報端末装置１３の情報出力部１３０２は、例えば、ユーザの指示により、受信した情報を携帯端末装置１４に送信する。
次に、携帯端末装置１４の動作について図４のフローチャートを用いて説明する。
【００３８】
（ステップＳ４０１）図示しない手段（ここでは、「受付手段」とする。）が取得指示を受け付けたか否かを判断する。取得指示とは、情報端末装置１３から情報を受信するための指示であり、その構造等は問わない。なお、ここでの情報は、音声情報である広告情報と出力音声情報と関連情報を含む。また、情報は、音声情報である広告情報と出力音声情報と関連情報の組、２組以上でも良い。取得指示を受け付ければステップＳ４０２に行き、取得指示を受け付けなければステップＳ４０５に行く。
（ステップＳ４０２）図示しない手段（ここでは、「送信手段」とする。）が取得指示を情報端末装置１３に送信する。
（ステップＳ４０３）携帯情報受信部１４０１は、情報端末装置１３から情報を受信したか否かを判断する。情報を受信すればステップＳ４０４に行き、情報を受信しなければステップＳ４０３に戻る。
（ステップＳ４０４）携帯情報受信部１４０１は、ステップＳ４０３で受信した情報を蓄積する。ステップＳ４０１に戻る。
【００３９】
（ステップＳ４０５）受付手段がタイトル出力指示を受け付けたか否かを判断する。タイトル出力指示とは、関連情報を出力する指示であり、その構造等は問わない。テキスト情報がニュースである場合、タイトル出力指示は、ニュースの見出し情報（１つでも複数でも良い）を出力する指示である。タイトル出力指示を受け付ければステップＳ４０６に行き、タイトル出力指示を受け付けなければステップＳ４０８に行く。
（ステップＳ４０６）情報表示部１４０３は、蓄積されている全関連情報を読み出す。
（ステップＳ４０７）情報表示部１４０３は、ステップＳ４０６で読み出した全関連情報を表示する。ステップＳ４０１に戻る。
【００４０】
（ステップＳ４０８）受付手段が出力指示を受け付けたか否かを判断する。出力指示とは、表示されている関連情報に対応する出力音声情報等の音声出力の指示である。出力指示を受け付ければステップＳ４０９に行き、出力指示を受け付けなければステップＳ４０１に戻る。
（ステップＳ４０９）音声出力部１４０２は、ステップＳ４０８で受け付けた出力指示に対応する広告情報を読み出す。
（ステップＳ４１０）音声出力部１４０２は、ステップＳ４０９で読み出した広告情報を音声出力する。
（ステップＳ４１１）音声出力部１４０２は、ステップＳ４０８で受け付けた出力指示に対応する出力音声情報を読み出す。
（ステップＳ４１２）音声出力部１４０２は、ステップＳ４１１で読み出した出力音声情報を音声出力する。ステップＳ４０１に戻る。
なお、図４のフローチャートにおいて、電源オフや処理終了の割り込みにより処理は終了する。
以下、本実施の形態における情報処理システムの具体的な動作について説明する。情報処理システムの概念図は図１である。
【００４１】
今、本情報処理システムの情報格納装置１１のテキスト情報格納部１１０１は、図５のテキスト情報管理表を保持している、とする。テキスト情報管理表は、「ＩＤ」「関連情報」「テキスト情報」「テキスト属性情報」を有するレコードを１以上保持している。「ＩＤ」は、レコードを識別する情報であり、表におけるレコード管理のために存在する。「テキスト情報」は、出力音声情報の元になるテキストの情報である。テキスト属性情報は、テキスト情報の属性値である。なお、「テキスト情報」と「テキスト属性情報」を合わせて、テキスト情報と言っても良い。また、「関連情報」「テキスト情報」のデータタイプは、テキストである。「テキスト属性情報」は、１以上のキーワードを有する。
【００４２】
また、情報格納装置１１の広告情報格納部１１０２は、図６の広告情報管理表を保持している、とする。広告情報管理表は、「ＩＤ」「広告情報」「広告属性値」を有するレコードを１以上保持している。「ＩＤ」は、レコードを識別する情報であり、表におけるレコード管理のために存在する。「広告情報」は、出力する音声の広告情報の元になる情報であり、ここでは、データタイプはテキストである。ただし、ここの「広告情報」は、音声情報でも良い。「広告属性値」は、広告情報の属性値を示す情報である。なお、ここで、「広告情報」「広告属性値」を合わせて、広告情報と言っても良い。「広告属性値」は、１以上のキーワードを有する。
【００４３】
さらに、情報送信サーバ装置１２の送信先情報格納手段１２０５１は、図７の送信先情報管理表を保持している、とする。送信先情報管理表は、「ＩＤ」「送信先識別子」「送信先属性値」を有するレコードを１以上保持している。「送信先識別子」は、「ユーザＩＤ」「ＰＷ」を有する。「ユーザＩＤ」は、ユーザを識別する情報である。「ＰＷ」は、ユーザが保有する情報端末装置１３から、情報送信サーバ装置１２にログインするためのパスワードである。なお、ユーザは、情報端末装置１３から情報送信サーバ装置１２にログインし、情報をダウンロードする。その際、情報送信サーバ装置１２の図示しない手段は、「ユーザＩＤ」「ＰＷ」によりユーザ認証を行い、認証許可である場合に、情報のダウンロードを可能とする。なお、ここでの情報は、ニュース、および広告情報、および関連情報（ニュースのタイトル）である。
【００４４】
今、ユーザ（「ＩＤ＝ＩＸＩ１００１」）は、情報端末装置１３の「ニュースダウンロード」アプリケーションを立ち上げ、図８に示すように、ユーザＩＤ「ＩＸＩ１００１」、パスワード「１２３４」を入力し、「実行」ボタンを押下した、とする。
【００４５】
次に、情報端末装置１３の図示しない手段は、ユーザＩＤ「ＩＸＩ１００１」、パスワード「１２３４」を有する情報送信命令を情報送信サーバ装置１２に送信する。なお、情報端末装置１３は、情報送信サーバ装置１２と通信するための情報（ＩＰアドレスや、ＵＲＬなど）を予め格納している、とする。
【００４６】
次に、情報送信サーバ装置１２は、ユーザＩＤ「ＩＸＩ１００１」、パスワード「１２３４」を有する情報送信命令を受信し、ユーザＩＤ「ＩＸＩ１００１」、パスワード「１２３４」に基づいて、ユーザ認証を行う。情報送信サーバ装置１２の図示しない手段は、図７の送信先情報管理表の「ＩＤ＝１」のレコードがユーザＩＤ「ＩＸＩ１００１」、パスワード「１２３４」を有することを検知し、認証許可、とする。
次に、情報送信サーバ装置１２のテキスト情報取得部１２０１は、情報格納装置１１に要求し、情報格納装置１１からテキスト情報管理表、および広告情報管理表を取得する。
次に、テキスト情報取得部１２０１は、テキスト情報管理表から１番目（「ＩＤ＝１」）のテキスト情報「２００５年６月２２日  日本対ブラジルの試合が・・・・・」を取得する。
次に、広告情報取得部１２０２は、１番目（「ＩＤ＝１」）のテキスト属性情報「スポーツ、サッカー」を取得する。
次に、関連情報抽出部１２０３は、１番目（「ＩＤ＝１」）の関連情報「サッカー：日本ｖｓブラジル」を取得する。
【００４７】
次に、広告情報取得部１２０２は、テキスト属性情報「スポーツ、サッカー」の１以上のキーワードを含む広告情報を広告情報管理表から検索する。そして、広告情報取得部１２０２は、広告情報管理表の「ＩＤ＝２」の広告情報「スポーツショップＳＰＴ。新大阪駅近く。・・・・」を取得する。
【００４８】
次に、音声情報変換部１２０４は、広告情報「スポーツショップＳＰＴ。新大阪駅近く。・・・・」を音声合成し、音声情報である広告情報を得る。ここで、音声情報は、ローマ字で表す、とする。つまり、音声情報変換部１２０４は、広告情報「スポーツショップＳＰＴ。新大阪駅近く。・・・・」を音声合成し、音声情報である広告情報「ＳＵＰＯＴＳＵＳＨＯＰＰＵ  ＥＳＵＰＩＴＩ  ＳＨＩＮＯＳＡＫＡＥＫＩＣＨＩＫＡＫＵ（長音の−は省略している）」を得る。なお、音声情報のブランクは、休止を示す。
次に、音声情報変換部１２０４は、テキスト情報「２００５年６月２２日  日本対ブラジルの試合が・・・・・」を音声合成し、出力音声情報「ＮＩＳＥＮＧＯＮＥＮＲＯＫＵＧＡＴＳＵ・・・・・」を得る。
【００４９】
次に、情報送信部１２０５は、関連情報、広告情報の音声情報、および出力音声情報に基づいて送信する情報を構成する。かかる構成した情報の例を図９に示す。図９は、送信する情報である送信情報を管理する送信情報管理表である。ここで構成できた情報は、送信情報管理表の「ＩＤ＝１」のレコードの情報である。
同様に、テキスト情報取得部１２０１は、テキスト情報管理表から２番目（「ＩＤ＝２」）のテキスト情報「日本税制改革協議会は、・・・・・」を取得する。
次に、広告情報取得部１２０２は、２番目（「ＩＤ＝２」）のテキスト属性情報「政治、税金」を取得する。
次に、関連情報抽出部１２０３は、２番目（「ＩＤ＝２」）の関連情報「税制改革」を取得する。
【００５０】
次に、広告情報取得部１２０２は、テキスト属性情報「政治、税金」の１以上のキーワードを含む広告情報を広告情報管理表から検索する。そして、広告情報取得部１２０２は、広告情報管理表の「ＩＤ＝４」の広告情報「ゴルフショップＸＹＺ。・・・・」を取得する。
次に、音声情報変換部１２０４は、広告情報「ゴルフショップＸＹＺ。・・・・」を音声合成し、音声情報である広告情報「ＧＯＲＵＦＵＳＨＯＰＰＵ  ＥＫＫＵＳＵＷＡＩＺＥＴＴＯ・・・・・」を得る。
次に、音声情報変換部１２０４は、テキスト情報「日本税制改革協議会は、・・・・・」を音声合成し、出力音声情報「ＮＩＨＯＮＺＥＩＳＥＩＫＡＩＫＡＫＵ・・・・・」を得る。
【００５１】
次に、情報送信部１２０５は、関連情報「税制改革」、広告情報の音声情報「ＧＯＲＵＦＵＳＨＯＰＰＵ  ＥＫＫＵＳＵＷＡＩＺＥＴＴＯ・・・・・」、および出力音声情報「ＮＩＨＯＮＺＥＩＳＥＩＫＡＩＫＡＫＵ・・・・・」に基づいて送信する情報、送信情報管理表の「ＩＤ＝２」のレコードの情報を構成する。
同様に、情報送信部１２０５は、送信情報管理表の「ＩＤ＝３」のレコードの情報を構成する。
そして、情報送信部１２０５は、図９の送信情報管理表を、情報端末装置１３に送信する。
次に、情報端末装置１３の情報受信部１３０１は、図９の送信情報管理表を受信し、蓄積する。
次に、ユーザは、携帯端末装置１４を使用し、取得指示を入力する。次に、携帯端末装置１４の送信手段は、取得指示を情報端末装置１３に送信する。
次に、情報端末装置１３は、取得指示を受信し、図９の送信情報管理表を携帯端末装置１４に送信する。
次に、携帯端末装置１４の携帯情報受信部１４０１は、情報端末装置１３から図９の送信情報管理表の情報を受信する。
次に、ユーザは、携帯端末装置１４に対して、タイトル出力指示を入力する、とする。
次に、携帯端末装置１４の受付手段は、タイトル出力指示を受け付け、送信情報管理表が有する全関連情報を読み出し、表示する。かかる表示例を図１０に示す。
次に、ユーザは、例えば、一つ目のニュースの関連情報「サッカー：日本ｖｓブラジル」に対して出力指示を入力する、とする。
次に、音声出力部１４０２は、受け付けた出力指示に対応する広告情報「ＳＵＰＯＴＳＵＳＨＯＰＰＵ  ＥＳＵＰＩＴＩ  ＳＨＩＮＯＳＡＫＡＥＫＩＣＨＩＫＡＫＵ・・・」を読み出す。
次に、音声出力部１４０２は、読み出した広告情報「ＳＵＰＯＴＳＵＳＨＯＰＰＵ  ＥＳＵＰＩＴＩ  ＳＨＩＮＯＳＡＫＡＥＫＩＣＨＩＫＡＫＵ・・・」を音声出力する。
次に、音声出力部１４０２は、受け付けた出力指示に対応する出力音声情報「ＮＩＳＥＮＧＯＮＥＮＲＯＫＵＧＡＴＳＵ・・・・・」を読み出す。
次に、音声出力部１４０２は、読み出した出力音声情報「ＮＩＳＥＮＧＯＮＥＮＲＯＫＵＧＡＴＳＵ・・・・・」を音声出力する。
【００５２】
同様に、ユーザが、例えば、図１０の表示例において、関連情報「スマトラ沖地震」に対して出力指示を入力すると、音声出力部１４０２は、広告情報「ＪＩＳＨＩＮＨＯＫＥＮＮＯＫＯＴＯＮＡＲＡ・・・」を音声出力した後、出力音声情報「ＳＵＭＡＴＯＲＡＯＫＩＪＩＳＨＩＮ・・・・」を音声出力する。
【００５３】
以上、本実施の形態によれば、例えば、テキストのニュース記事データベースと広告情報を音声に変換し、配信できる。また、広告を音声出力した後、ユーザ所望のニュースを音声出力するので、ユーザは確実に広告を聞くことになり、広告効果が増大する。また、ニュースの属性に合致した広告を配信することができ、広告の効果がさらに増大し、ユーザにとっても興味のある広告情報を入手でき、好適である。さらに、テキストの関連情報も送信することにより、携帯端末の小さなディスプレイを有効に利用して、ニュース等のタイトルを表示し、ユーザは、所望のニュースを選択して聞くことができる。
【００５４】
なお、本実施の形態によれば、テキスト情報はニュースに限られないことは言うまでもない。テキスト情報は、メールや、Ｗｅｂ上のホームページ（いわゆるウェブログなど）や、他の情報でも良い。かかることは、他の実施の形態においても同様である。
【００５５】
また、本実施の形態の具体例において、情報送信サーバ装置１２は、テキスト属性情報と所定の関係にある広告属性値を有する広告情報を取得し、配信した。しかし、情報送信サーバ装置１２は、送信先属性値と所定の関係にある広告属性値を有する広告情報を取得し、配信しても良い。つまり、例えば、広告情報格納部１１０２は、図１１に示すような広告情報管理表を保持していても良い。本広告情報管理表は、「ＩＤ」「広告情報」「広告属性値」を有するレコードを１以上保持している。また、「広告属性値」は、「対象性別」「対象年齢」「キーワード」を有する。「対象性別」「対象年齢」は、それぞれ広告対象の性別、広告対象の年齢である。「キーワード」は、広告に対するキーワードである。図１１において「−」（属性値なし）は、問わない、ということを示す。かかる状況において、例えば、ユーザＩＤ「ＩＸＩ１００１」に情報を送信する場合、広告情報取得部１２０２は、送信先属性値、性別「男」、年齢「３５」、趣味「スポーツ」に合致する広告情報を取得する。例えば、広告情報取得部１２０２は、趣味「スポーツ」と一致するキーワードを有し、年齢「３５」を含む対象年齢である、図１１の「ＩＤ＝３」のレコードを構成する広告情報「テニスラケットのことなら・・・」を取得する。そして、音声情報変換部１２０４は、広告情報「テニスラケットのことなら・・・」を音声合成し、かつ、例えば、テキスト情報「２００５年６月２２日  日本対ブラジルの試合が・・・・」を音声合成する。そして、情報送信部１２０５は、音声合成した広告情報と、出力音声情報に、テキスト情報「サッカー：日本ｖｓブラジル」を付加して、送信する情報を構成し、情報端末装置１３に送信する。
【００５６】
また、本実施の形態によれば、テキスト情報がメルマガのメール等でも良い。かかる場合、情報処理システムの概念図は、図１２のようになる。図１２において、情報送信サーバ装置１２は、メルマガ配信システムである。また、メルマガＤＢは、テキスト情報格納部１１０１に該当する。なお、メルマガＤＢは、メルマガの読者からのメールを格納している読者ＤＢ、およびメルマガの記事を格納している記事ＤＢを有しても良い。
また、本実施の形態において、情報格納装置１１と情報送信サーバ装置１２は、一の装置で実現されていても良い。
【００５７】
また、本実施の形態によれば、情報処理システムは、図２に示す構成であった。しかし情報処理システムの情報送信サーバ装置１２は、図１９に示すように、関連情報格納部１２０６、音声情報格納部１２０７を具備していても良い。
ここで、関連情報格納部１２０６は、関連情報抽出部１２０３が抽出した関連情報を格納している記録媒体である。
また、音声情報格納部１２０７は、音声情報変換部１２０４が音声合成した出力音声情報、および音声情報である広告情報を格納している記録媒体である。
関連情報格納部１２０６、音声情報格納部１２０７は、ハードディスクやＲＯＭ等の不揮発性の記録媒体が好適であるが、ＲＡＭ等の揮発性の記録媒体でも実現可能である。
【００５８】
また、かかる場合、情報送信部１２０５は、関連情報格納部１２０６、および音声情報格納部１２０７から関連情報、および出力音声情報、および音声情報である広告情報を読み出して、送信する。かかることは、他の実施の形態においても同様である。
【００５９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報送信サーバ装置を実現するソフトウェアは、以下のようなプログラムである。つまり、このプログラムは、コンピュータに、情報格納装置からテキスト情報を取得するテキスト情報取得ステップと、前記情報格納装置から広告情報を取得する広告情報取得ステップと、前記テキスト情報の一部、または前記テキスト情報の全部を音声情報に変換し、出力音声情報を得る音声情報変換ステップと、前記広告情報取得ステップで取得した広告情報であり、音声情報である広告情報と、前記音声情報変換ステップで取得した出力音声情報と、前記テキスト情報が有する関連情報を、前記情報端末装置に送信する情報送信ステップと、を実行させるためのプログラム、である。なお、本音声情報変換ステップにおいて、広告情報を音声合成し、音声情報である広告情報を得ても良い。また、本プログラムにおいて、情報送信ステップで送信する音声情報は、広告情報の後に、出力音声情報が出力されるように構成されていることが好適である。
【００６０】
また、上記プログラムにおいて、広告情報取得ステップにおいて、前記情報送信ステップで送信する送信先を識別する送信先識別子と対になる送信先属性値と所定の関係にある広告属性値を有する広告情報を取得することは好適である。
（実施の形態２）
本実施の形態において、情報処理システムは、例えば、電子メールの携帯電話音声配信を行うシステムである。
図１３は、本実施の形態における情報処理システムのブロック図である。
情報処理システムは、情報格納装置１１、情報送信サーバ装置１３２、携帯端末装置１３４を具備する。
情報送信サーバ装置１３２は、認証部１３２００、テキスト情報取得部１３２０１、広告情報取得部１２０２、関連情報抽出部１２０３、音声情報変換部１２０４、情報送信部１３２０５を具備する。
携帯端末装置１３４は、受付部１３４０１、ユーザ情報送信部１３４０２、携帯情報受信部１３４０３、音声出力部１４０２、情報表示部１４０３を具備する。
【００６１】
認証部１３２００は、携帯端末装置１３４からユーザ情報を受信し、認証処理を行う。ユーザ情報とは、携帯端末装置１３４のユーザ、または携帯端末装置１３４を識別する情報である。ユーザ情報とは、例えば、携帯端末装置１３４のユーザＩＤおよびパスワードである。また、ユーザ情報とは、例えば、携帯端末装置１３４のＭＡＣアドレスや、ＩＰアドレスや、携帯端末装置１３４の電話番号（携帯端末装置１３４が携帯電話等の場合）である。認証処理とは、認証部１３２００が管理している情報に基づいて、ユーザ情報で識別されるユーザまたは携帯端末装置１３４が正当なユーザ等であるか否かを判断する処理である。認証処理の結果、例えば、認証許可、または認証不許可を示す情報が出力される。認証部１３２００は、通常、ＭＰＵやメモリ等から実現され得る。認証部１３２００の処理手順は、通常、ソフトウェアで実現され、当該ソフトウェアはＲＯＭ等の記録媒体に記録されている。但し、ハードウェア（専用回路）で実現しても良い。
【００６２】
テキスト情報取得部１３２０１は、認証部１３２００における認証結果が、認証許可である場合に、情報格納装置１１からテキスト情報を取得する。テキスト情報取得部１３２０１は、通常、ユーザ情報に対応するテキスト情報を、情報格納装置１１から取得する。ここでのテキスト情報取得部１３２０１は、所定の条件に合致するテキスト情報のみを選択して取得する。テキスト情報取得部１３２０１は、例えば、メールの送信元に関する情報である送信元情報を取得し、当該送信元情報が所定の条件に合致するか否かを判断し、当該所定の条件に合致すると判断された送信元情報に対応するテキスト情報のみを選択して取得する。かかる場合、例えば、携帯端末装置１４のユーザは、自社の社員から送信されたメールのみ音声出力できる。また、テキスト情報取得部１３２０１は、例えば、関連情報を取得し、当該関連情報が所定の条件に合致するか否かを判断し、当該所定の条件に合致すると判断された関連情報に対応するテキスト情報のみを選択して取得する。かかる場合、例えば、携帯端末装置１４のユーザは、スパムメールを除いた、通常のメールのみ音声出力できる。ここで、所定の条件とは、例えば、「未承諾」という文字列をテキスト情報（例えば、メールのｓｕｂｊｅｃｔ）に含まないことである。テキスト情報取得部１３２０１は、通常、ＭＰＵやメモリ等から実現され得る。テキスト情報取得部の処理手順は、通常、ソフトウェアで実現され、当該ソフトウェアはＲＯＭ等の記録媒体に記録されている。但し、ハードウェア（専用回路）で実現しても良い。
【００６３】
情報送信部１３２０５は、広告情報取得部１２０２が取得した広告情報であり、音声情報である広告情報と、音声情報変換部１２０４が取得した出力音声情報と、関連情報を、携帯端末装置１３４に送信する。情報送信部１３２０５は、無線の通信手段が好適であるが、放送手段や有線の通信手段でも実現可能である。
【００６４】
受付部１３４０１は、ユーザ情報や、その他のユーザからの指示などを受け付ける。ユーザからの指示とは、例えば、情報を取得する指示である取得指示や、関連情報を出力するタイトル出力指示や、音声出力の指示である出力指示などである。ユーザ情報や、指示などの入力手段は、テンキーやキーボードやマウスやメニュー画面によるもの等、何でも良い。受付部１３４０１は、テンキーやキーボード等の入力手段のデバイスドライバーや、メニュー画面の制御ソフトウェア等で実現され得る。
【００６５】
ユーザ情報送信部１３４０２は、受付部１３４０１が受け付けたユーザ情報を情報送信サーバ装置１３２に送信する。ユーザ情報送信部１３４０２は、無線の通信手段が好適であるが、放送手段や有線の通信手段でも実現可能である。
【００６６】
携帯情報受信部１３４０３は、音声情報である広告情報と、出力音声情報と、関連情報を、情報送信サーバ装置１３２から受信する。携帯情報受信部１３４０３は、音声情報である広告情報と、出力音声情報と、関連情報の組を１組以上受信する。携帯情報受信部１３４０３は、無線の通信手段が好適であるが、放送を受信する手段や有線の通信手段でも実現可能である。
次に、情報処理システムの動作について説明する。本動作説明において、実施の形態１の情報処理システムと同様の装置の動作説明は省略する。
まず、情報送信サーバ装置１３２の動作について、図１４のフローチャートを用いて説明する。図１４のフローチャートにおいて、図３のフローチャートと同一のステップについては説明を省略する。
【００６７】
（ステップＳ１４０１）認証部１３２００は、携帯端末装置１３４からユーザ情報を受信したか否かを判断する。ユーザ情報を受信すればステップＳ１４０２に行き、ユーザ情報を受信しなければステップＳ１４０１に戻る。
（ステップＳ１４０２）認証部１３２００は、ステップＳ１４０１で受信したユーザ情報に基づいて認証処理を行う。
【００６８】
（ステップＳ１４０３）テキスト情報取得部１３２０１は、ステップＳ１４０２における認証処理の結果が、認証許可であるか否かを判断する。認証許可であればステップＳ１４０４に行き、認証不許可であればステップＳ１４０１に戻る。
（ステップＳ１４０４）テキスト情報取得部１３２０１は、カウンタｉに１を代入する。
【００６９】
（ステップＳ１４０５）テキスト情報取得部１３２０１は、ステップＳ１４０１で受信したユーザ情報（ユーザＩＤなど）に対応するｉ番目のテキスト情報が情報格納装置１１に存在するか否かを判断する。なお、情報格納装置１１には、例えば、ユーザ情報毎に、メールＢＯＸ（バッファ）があり、ユーザ情報毎に当該ユーザ宛てのメールが格納されている。
（ステップＳ１４０６）テキスト情報取得部１３２０１は、ユーザ情報に対応するｉ番目のテキスト情報を取得する。
【００７０】
（ステップＳ１４０７）テキスト情報取得部１３２０１は、ｉ番目のテキスト情報が所定の条件に合致するか否かを判断する。所定の条件に合致すればステップＳ１４０８に行き、所定の条件に合致しなければ３１４に行く。
（ステップＳ１４０８）テキスト情報取得部１３２０１は、ユーザ情報に対応する送信先属性値を取得する。
【００７１】
（ステップＳ１４０９）テキスト情報取得部１３２０１は、ステップＳ１４０８で取得した送信先属性値と所定の関係にある広告属性値を有する広告情報を、情報格納装置１１から取得する。ステップＳ３１０に行く。
なお、図１４のフローチャートにおいて、携帯端末装置１３４に送信するすべての関連情報、広告情報、および出力音声情報をまとめて、一度に送信しても良い。
また、図１４のフローチャートにおいて、電源オフや処理終了の割り込みにより処理は終了する。
次に、携帯端末装置１３４の動作について、図１５のフローチャートを用いて説明する。図１５のフローチャートにおいて、図４のフローチャートと同様のステップについては、説明を省略する。
（ステップＳ１５０１）受付部１３４０１は、ユーザ情報を受け付けたか否かを判断する。ユーザ情報を受け付ければステップＳ１５０２に行き、ユーザ情報を受け付けなければステップＳ４０５に行く。
（ステップＳ１５０２）ユーザ情報送信部１３４０２は、ステップＳ１５０１で受け付けたユーザ情報を情報送信サーバ装置１３２に送信する。
【００７２】
（ステップＳ１５０３）携帯情報受信部１３４０３は、音声情報である広告情報と、出力音声情報と、関連情報を、情報送信サーバ装置１３２から受信したか否かを判断する。情報送信サーバ装置１３２から受信すればステップＳ４０４に行き、受信しなければステップＳ１５０４に行く
【００７３】
（ステップＳ１５０４）携帯情報受信部１３４０３は、タイムアウトか否かを判断する。タイムアウトであれば処理を終了し（かかる場合、通常、認証不許可であった）、タイムアウトでなければステップＳ１５０３に行く。
【００７４】
以下、本実施の形態における情報処理システムの具体的な動作について説明する。情報処理システムの概念図は図１６である。ここで、情報格納装置１１は、例えば、メールサーバである。また、携帯端末装置１３４は、電子メールやデータ等の送受信をするデータ通信機能を有する携帯電話である。
【００７５】
また、情報格納装置１１は、例えば、図１７に示すテキスト情報（メール）を保持している。また、図１７に示すメールは、ユーザＩＤ「ＩＸＩ１０８２」で識別されるユーザ宛てへのメールである、とする。なお、情報格納装置１１は、通常、多数のユーザ宛てのメールを格納している。
また、情報格納装置１１は、図１１の広告情報管理表を保持している、とする。
また、情報送信サーバ装置１３２は、図７の送信先情報管理表を保持している、とする。
【００７６】
さらに、ここでは、情報送信サーバ装置１３２のテキスト情報取得部１３２０１は、所定の条件に合致するテキスト情報のみを選択して取得する、とする。ここで「所定の条件」とは、以下のすべての条件を満たすことである、とする。第一は、メールの送信元に関する情報である送信元情報が「ｉｘｉ．ｃｏ．ｊｐ」を含む、つまり、会社「ｉｘｉ」の従業員からのメールであることである。第二は、ｓｕｂｊｅｃｔに「未承諾」という文字列を含まないことである。第三は、メール本文のサイズが「４００ｂｙｔｅ」以下であることである。第四は、添付ファイルが存在しないことである。テキスト情報取得部１３２０１は、以上の４つの条件を満たすテキスト情報を取得する、とする。また、ここでは、音声情報変換部１２０４は、テキスト情報が有するメール本文のみ、音声合成し、音声情報に変換する、とする。ただし、ｓｕｂｊｅｃｔや添付ファイル内のテキスト情報なども音声に変換しても良い。
かかる状況において、ユーザＩＤ「ＩＸＩ１０８２」で識別されるユーザは、携帯端末装置１３４の画面からユーザＩＤ「ＩＸＩ１０８２」、パスワード「９０１２」を入力する、とする。
【００７７】
次に、受付部１３４０１は、ユーザＩＤ「ＩＸＩ１０８２」、パスワード「９０１２」を受け付ける。次に、ユーザ情報送信部１３４０２は、受け付けたユーザ情報（ユーザＩＤ「ＩＸＩ１０８２」、パスワード「９０１２」）を情報送信サーバ装置１３２に送信する。
次に、認証部１３２００は、携帯端末装置１３４からユーザ情報（ユーザＩＤ「ＩＸＩ１０８２」、パスワード「９０１２」）を受信する。
【００７８】
次に、認証部１３２００は、ユーザ情報（ユーザＩＤ「ＩＸＩ１０８２」、パスワード「９０１２」）に基づいて認証処理を行う。図７の送信先情報管理表は、ユーザＩＤ「ＩＸＩ１０８２」、パスワード「９０１２」を有するレコードが存在するので、認証処理の結果は、認証許可、となる。
次に、テキスト情報取得部１３２０１は、情報格納装置１１から１番目のテキスト情報（図１７の「ＩＤ＝１」のレコード）を取得する。
【００７９】
次に、１番目のテキスト情報が有する送信元情報が、「ｉｘｉ．ｃｏ．ｊｐ」を有し、ｓｕｂｊｅｃｔに文字列「未承諾」を有さず、メール本文のデータサイズが４００ｂｙｔｅ以下であり、添付ファイルを有さないので、テキスト情報取得部１３２０１は、１番目のテキスト情報が所定の条件に合致する、と判断する。
次に、テキスト情報取得部１３２０１は、ユーザ情報（ユーザＩＤ「ＩＸＩ１０８２」）に対応する送信先属性値（性別「男」、年齢「２５」、趣味「旅行」）を取得する。
【００８０】
次に、テキスト情報取得部１３２０１は、取得した送信先属性値（性別「男」、年齢「２５」、趣味「旅行」）の中の趣味「旅行」をキーワードに有する広告情報（図１１の「ＩＤ＝２」の広告情報）を、情報格納装置１１から取得する。取得した広告情報は、「台湾への旅行は、・・・・」である。
次に、音声情報変換部１２０４は、取得した広告情報「台湾への旅行は、・・・・」を音声合成し、音声情報である広告情報を得る。
次に、音声情報変換部１２０４は、取得したテキスト情報の一部「お世話になっております。・・・・」を音声合成し、出力音声情報を得る。
次に、情報送信部１２０５は、広告情報の音声情報、および出力音声情報、および関連情報「御礼」に基づいて送信する情報を構成する。
次に、情報送信部１２０５は、構成した情報を、携帯端末装置１３４に送信する。
次に、携帯端末装置１３４の携帯情報受信部１３４０３は、音声情報である広告情報と、出力音声情報と、関連情報「御礼」を、情報送信サーバ装置１３２から受信し、蓄積する。
【００８１】
そして、次に、テキスト情報取得部１３２０１は、情報格納装置１１から２番目のテキスト情報（図１７の「ＩＤ＝２」のレコード）を取得する。２番目のテキスト情報は、送信元情報に「ｉｘｉ．ｃｏ．ｊｐ」を含まないので、テキスト情報取得部１３２０１は、２番目のテキスト情報が所定の条件に合致しない、と判断する。
【００８２】
次に、テキスト情報取得部１３２０１は、情報格納装置１１から３番目のテキスト情報（図１７の「ＩＤ＝３」のレコード）を取得する。３番目のテキスト情報は、ｓｕｂｊｅｃｔに文字列「未承諾」を含むので、テキスト情報取得部１３２０１は、３番目のテキスト情報が所定の条件に合致しない、と判断する。
【００８３】
次に、テキスト情報取得部１３２０１は、情報格納装置１１から４番目のテキスト情報（図１７の「ＩＤ＝４」のレコード）を取得する。４番目のテキスト情報は、添付ファイルを有するので、テキスト情報取得部１３２０１は、４番目のテキスト情報が所定の条件に合致しない、と判断する。
【００８４】
次に、テキスト情報取得部１３２０１は、情報格納装置１１から５番目のテキスト情報（図１７の「ＩＤ＝５」のレコード）を取得する。５番目のテキスト情報は、メール本文のデータサイズが４００ｂｙｔｅを超えるので、テキスト情報取得部１３２０１は、５番目のテキスト情報が所定の条件に合致しない、と判断する。
次に、携帯端末装置１３４のユーザは、タイトル出力指示を入力する。なお、ここで、情報送信サーバ装置１３２から関連情報「御礼」等を受信した場合、ただちに、関連情報「御礼」を出力しても良い。
【００８５】
そして、携帯端末装置１３４の受付部１３４０１は、タイトル出力指示を受け付け、情報表示部１４０３は、関連情報「御礼」を表示する（図１８参照）。ここで、ユーザは、「御礼」をクリックするなどして、出力指示を入力すれば、まず、広告情報が音声出力され、続いて、出力音声情報（メール本文）が音声出力される。
【００８６】
以上、本実施の形態によれば、メールサーバに存在するメールを自動的に音声出力するとともに、広告情報も音声出力できる。また、広告を音声出力した後、メールを音声出力するので、ユーザは確実に広告を聞くことになり、広告効果が増大する。また、ユーザにとって興味のある広告情報を入手でき、好適である。さらに、所定の条件に合致するテキスト情報のみを音声出力するので、音声出力の機器（例えば、携帯電話）の特性に合致したメールのみ音声出力できる。音声出力の機器（例えば、携帯電話）の特性とは、画面が小さいこと、携帯することなどである。
【００８７】
なお、本実施の形態の具体例によれば、添付ファイルが存在するメールは配信しなかったが、例えば、添付ファイルは音声情報に変換せずに送信しても良い。かかる処理により、テキスト情報は音声出力し、画像などが含まれている可能性のある添付ファイルはデータ送信でき、好適である。
また、本実施の形態によれば、テキスト情報取得部１３２０１がテキスト情報を選択するための所定の条件は、上述したものに限られないことは言うまでもない。
【００８８】
また、本実施の形態において、テキスト情報属性値により、音声情報変換部が得る音声が異なることは好適である。さらに、送信先属性値や送信元情報により、音声情報変換部が得る音声が異なることも好適である。かかることにより、例えば、彼女から届いたメールが彼女の声で出力され得る。かかることは、本明細書における他の実施の形態においても該当する。
【００８９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、本実施の形態における情報送信サーバ装置を実現するソフトウェアは、以下のようなプログラムである。つまり、このプログラムは、コンピュータに、情報格納装置からテキスト情報を取得するテキスト情報取得ステップと、前記情報格納装置から広告情報を取得する広告情報取得ステップと、前記テキスト情報の一部、または前記テキスト情報の全部を音声情報に変換し、出力音声情報を得る音声情報変換ステップと、前記広告情報取得ステップで取得した広告情報であり、音声情報である広告情報と、前記音声情報変換ステップで取得した出力音声情報と、前記テキスト情報が有する関連情報を、前記情報端末装置に送信する情報送信ステップと、を実行させるためのプログラム、である。なお、本音声情報変換ステップにおいて、広告情報を音声合成し、音声情報である広告情報を得ても良い。また、本プログラムにおいて、情報送信ステップで送信する音声情報は、広告情報の後に、出力音声情報が出力されるように構成されていることが好適である。
また、上記プログラムのテキスト情報取得ステップにおいて、所定の条件に合致するテキスト情報のみを選択して取得することは好適である。
【００９０】
また、上記各実施の形態において、各処理（各機能）は、単一の装置（システム）によって集中処理されることによって実現されてもよく、あるいは、複数の装置によって分散処理されることによって実現されてもよい。
【００９１】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、上記プログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
本発明は、以上の実施の形態に限定されることなく、種々の変更が可能であり、それらも本発明の範囲内に包含されるものであることは言うまでもない。
【産業上の利用可能性】
【００９２】
以上のように、本発明にかかる情報処理システムは、例えば、テキストのニュース記事データベースと広告情報を音声に変換し、配信できる、という効果を有し、広告とニュースなどの情報を音声出力する情報システム等として有用である。
【図面の簡単な説明】
【００９３】
【図１】実施の形態１における情報処理システムの概念図を示す図
【図２】同情報処理システムのブロック図
【図３】同情報送信サーバ装置の動作について説明するフローチャート
【図４】同携帯端末装置の動作について説明するフローチャート
【図５】同テキスト情報管理表を示す図
【図６】同広告情報管理表を示す図
【図７】同送信先情報管理表を示す図
【図８】同情報端末装置の入力画面例を示す図
【図９】同構成した送信情報の例を示す図
【図１０】同携帯端末装置の画面表示例を示す図
【図１１】同広告情報管理表を示す図
【図１２】同情報処理システムの概念図を示す図
【図１３】実施の形態２における情報処理システムのブロック図
【図１４】同情報送信サーバ装置の動作について説明するフローチャート
【図１５】同携帯端末装置の動作について説明するフローチャート
【図１６】同情報処理システムの概念図を示す図
【図１７】同テキスト情報管理表を示す図
【図１８】同携帯端末装置の画面表示例を示す図
【図１９】情報処理システムのブロック図
【符号の説明】
【００９４】
１１  情報格納装置
１２、１３２  情報送信サーバ装置
１３  情報端末装置
１４、１３４  携帯端末装置
１１０１  テキスト情報格納部
１１０２  広告情報格納部
１２０１、１３２０１  テキスト情報取得部
１２０２  広告情報取得部
１２０３  関連情報抽出部
１２０４  音声情報変換部
１２０５、１３２０５  情報送信部
１２０６  関連情報格納部
１２０７  音声情報格納部
１３０１  情報受信部
１３０２  情報出力部
１４０１、１３４０３  携帯情報受信部
１４０２  音声出力部
１４０３  情報表示部
１２０５１  送信先情報格納手段
１２０５２  情報送信手段
１３２００  認証部
１３４０１  受付部
１３４０２  ユーザ情報送信部
【図１】
2007010887.tif 000003
【図２】
2007010887.tif 000004
【図３】
2007010887.tif 000005
【図４】
2007010887.tif 000006
【図５】
2007010887.tif 000007
【図６】
2007010887.tif 000008
【図７】
2007010887.tif 000009
【図８】
2007010887.tif 000010
【図９】
2007010887.tif 000011
【図１０】
2007010887.tif 000012
【図１１】
2007010887.tif 000013
【図１２】
2007010887.tif 000014
【図１３】
2007010887.tif 000015
【図１４】
2007010887.tif 000016
【図１５】
2007010887.tif 000017
【図１６】
2007010887.tif 000018
【図１７】
2007010887.tif 000019
【図１８】
2007010887.tif 000020
【図１９】
2007010887.tif 000021